(57)【要約】【課題】携帯端末による情報読取を容易かつ精度良く行うことを可能とする携帯端末を提供する。【解決手段】携帯端末１は、カメラ３０等が設けられた上部１ａと、下部１ｂとにより構成される。下部１ｂは、上部１ａに対しスライド可能であり、携帯端末１による情報読取時に、カメラ３０の位置が開放可能になっている。また、携帯端末１の底面の高さ位置は、携帯端末１による情報読取時に所定の値に設定される、カメラ３０からの合焦距離に対応する。【選択図】図１
2014138260.tif 000002
【特許請求の範囲】
【請求項１】
カメラ機能を有し、情報読取に用いられる携帯端末であって、
携帯端末の底面の高さ位置が、情報読取時に所定の値に設定される、携帯端末のカメラからの合焦距離に対応するように定められたことを特徴とする携帯端末。
【請求項２】
前記カメラに超広角マクロレンズが備えられることを特徴とする請求項１に記載の携帯端末。
【請求項３】
前記携帯端末は、前記カメラを有する上部と、下部とにより構成され、
前記下部を前記上部に対してスライドさせ、前記カメラの位置を開放可能であることを特徴とする請求項１または請求項２記載の携帯端末。
【請求項４】
前記携帯端末は、透明な材質で形成される読取部を有し、前記読取部に前記カメラが設けられることを特徴とする請求項１または請求項２記載の携帯端末。
【請求項５】
前記読取部にレンズが設けられることを特徴とする請求項４記載の携帯端末。
【発明の詳細な説明】
【技術分野】
【０００１】
本発明は、情報読取を行うための携帯端末に関する。
【背景技術】
【０００２】
近年、広告等の情報媒体において、携帯端末のカメラ機能を用いて商品に対応する二次元コードやバーコードを読取り、コードが示す所定のＵＲＬに自動的にアクセスすることによって、コードが付された商品の購入手続き・詳細情報入手・ＣＭ映像取得等の副次的なサービスを提供する仕組みが知られている（例えば、特許文献１、２、３）。
【０００３】
特許文献１には、ユーザが、店舗から配布された印刷物に印刷された二次元コードを携帯端末のコード読取部によって読取り、サーバにアクセスすると、サーバが、所定の情報を携帯端末に提供する情報提供システムが開示されている。
【０００４】
特許文献２には、広告依頼主が、広告媒体に商品等の広告と共に、広告識別情報及び接続情報を含んで構成される広告内容識別情報を示す二次元コードを印刷し、広告を見た利用者が、広告媒体に印刷されている二次元コードを携帯電話機の撮像部で読取り、２次元コードが示す接続情報に基づいてサーバにアクセスして広告識別情報を送信する仕組みが開示されている。
【０００５】
特許文献３には、二次元コードの読取手段が内蔵されたユーザの携帯通信端末と、データベースを有するサーバとが通信ネットワークを介して相互に通信可能に接続され、ユーザが、広告媒体に印刷された商品の識別情報を記憶した二次元コードを携帯通信端末で読取ると、商品の広告を掲載した商品ＷｅｂページのＵＲＬ情報を抽出し、ユーザに提供するＵＲＬ情報提供システムが開示されている。
【先行技術文献】
【特許文献】
【０００６】
【特許文献１】特開２００６−２３６２２７号公報
【特許文献２】特許第３８８８０４９号公報
【特許文献３】特許第４８０３８１５号公報
【発明の概要】
【発明が解決しようとする課題】
【０００７】
しかしながら、特許文献１〜３のように、コードの読取手段として携帯端末のカメラ機能を用いる場合、ユーザがカメラの合焦距離を微調整したり、撮影中にカメラ位置を手で固定したりする必要がある。このような作業は、例えば商品カタログ等によって数多くの商品を閲覧しつつコードを読取るような場合、非常に不便である。また、ピントずれやぶれ等により読取精度が低くなることもある。
【０００８】
本発明は、前述した問題点に鑑みてなされたものであり、その目的は、情報読取を容易かつ精度良く行うことを可能とする携帯端末を提供することである。
【課題を解決するための手段】
【０００９】
前述した目的を達成するための本発明は、カメラ機能を有し、情報読取に用いられる携帯端末であって、携帯端末の底面の高さ位置が、情報読取時に所定の値に設定される、携帯端末のカメラからの合焦距離に対応するように定められたことを特徴とする携帯端末である。
【００１０】
本発明の携帯端末を情報媒体上に置くことにより、携帯端末を情報媒体上で移動させながら、情報媒体の情報を読取ったり、携帯端末に拡大して表示させることができる。この際、カメラと情報媒体との距離は自ずと固定され、カメラからの合焦距離に対応するので、携帯端末のカメラ位置を手で固定する必要はなく、ピントずれ等も防ぐことができ、微調整の手間も省くことができる。従って、本発明の携帯端末により、情報読取を容易かつ精度良く行うことができる。
【００１１】
前記カメラに、超広角マクロレンズが備えられることが望ましい。
これにより合焦距離を短縮し、携帯端末を全体として薄くし操作しやすい大きさとできる。
【００１２】
前記携帯端末は、前記カメラを有する上部と、下部とにより構成され、前記下部を前記上部に対してスライドさせ、前記カメラの位置を開放可能であることが望ましい。
このようにして携帯端末を上部と下部で構成し、下部が上部に対してスライド可能とすることで、通常時には全体として携帯しやすい形状としつつ、情報読取時に下部をスライドさせて携帯端末を用いることができる。
【００１３】
また、前記携帯端末は、透明な材質で形成される読取部を有し、前記読取部に前記カメラが設けられることが望ましい。
これにより、携帯端末をそのまま情報読取に用いることができ、操作の手間を省くことができる。また、読取部は周囲の光を遮らないので読取範囲が明るくなり、カメラによる情報読取が容易になる。
【００１４】
前記読取部にレンズが設けられることが望ましい。
これにより、読取部において読取範囲を拡大して表示できるので、操作性が向上する。
【発明の効果】
【００１５】
本発明により、情報読取を容易かつ精度良く行うことを可能とする携帯端末を提供することが可能になる。
【図面の簡単な説明】
【００１６】
【図１】携帯端末１を示す図
【図２】携帯端末１のハードウエア構成を示す図
【図３】携帯端末１による情報読取を示す図
【図４】携帯端末４１を説明する図
【図５】携帯端末６０を説明する図
【発明を実施するための形態】
【００１７】
以下、添付図面に基づいて、本発明の好適な実施形態について詳細に説明する。
【００１８】
［第１の実施形態］
（１．携帯端末１の構成）
まず、図１を参照しながら、第１の実施形態の携帯端末について説明する。
【００１９】
図１は第１の実施形態の携帯端末１を示す図である。図１（ａ）は携帯端末１の平面を示し、図１（ｂ）、（ｃ）は携帯端末１の側面を示す。図１（ａ）、（ｂ）は、情報読取時の状態を示す図であり、図１（ｃ）は非情報読取時の状態を示す図である。
【００２０】
携帯端末１は、上部１ａおよび下部１ｂからなる。上部１ａおよび下部１ｂは、略直方体の形状を有する板状に形成され、同様の平面形状を有する。
【００２１】
上部１ａは、外観上、液晶表示パネル等の表示部２３と携帯端末１の各種操作を行うためのボタン１１を有する。また、上部１ａの前方にはカメラ３０が設けられる。カメラ３０には超広角マクロレンズ３０ａが備えられる。超広角マクロレンズ３０ａは、カメラ３０からの合焦距離を短縮するものである。また、カメラ３０にはＬＥＤランプ等の照明３１が付属して設けられる。
【００２２】
下部１ｂは、上部１ａに対してスライドし後退させることが可能であり、図１（ｂ）、（ｃ）に示すように、情報読取時の位置と、非情報読取時の位置とに移動可能である。スライド機構としては既知のものを用いることができる。
【００２３】
図１（ｃ）に示す非情報読取時には、上部１ａおよび下部１ｂの平面位置が対応して携帯端末１が全体として略直方体の形状となり、この時カメラ３０の位置が下部１ｂで覆われる。一方、図１（ｂ）に示すように、情報読取時に下部１ｂを後退させると、カメラ３０の位置が開放される。
【００２４】
また、下部１ｂの後方では、情報読取を行う際に用いるボタン１３が上面に設けられており、下部１ｂを後退させた時にボタン１３が露出する。ボタン１３を押下するとカメラ３０からの合焦距離が所定の値に設定される。
【００２５】
図１（ｂ）に示すように下部１ｂを上部１ａに対しスライドし後退させた際の、上部１ａの前端と下部１ｂの前端との距離は、携帯端末１のカメラ３０による読取範囲を、下部１ｂが遮らないように定める。例えば、この読取範囲はカメラ３０の平面位置を中心とする矩形状の範囲であり、下部１ｂの底面高さにおいて、前後の長さが４０ｍｍ程度である（図１（ｂ）参照）。上記の距離は、下部１ｂがこの読取範囲と干渉しないように定める。
【００２６】
また、下部１ｂの高さは、携帯端末１による情報読取時のカメラ３０からの合焦距離によって定められる。すなわち、下部１ｂの底面の高さ位置が、携帯端末１のカメラ３０からの合焦距離に対応するように、下部１ｂの高さが定められる。例えば、１１ｍｍ程度（図１（ｂ）参照）とする。
【００２７】
図２は、携帯端末１のハードウエア構成を示す図である。尚、図２のハードウエア構成は一例であり、用途、目的に応じて様々な構成を採ることが可能である。
【００２８】
図２に示すように、携帯端末１は、制御部２１、無線通信部２２、表示部２３、入力部２４、通話処理部２５、メモリ２６、ＩＣチップＩ／Ｆ（インタフェース）２７、モーションセンサ２８、タッチパネル入力部２９、カメラ３０等がバス３２を介して接続されて構成される。
【００２９】
制御部２１は、プログラムの実行を行うＣＰＵと、ＯＳなどのプログラムやデータ等を格納するためのＲＯＭ、一時的な作業用データを格納するためのＲＡＭ等から構成される。制御部２１は、携帯端末１の処理全体を制御する。
【００３０】
無線通信部２２は、ネットワークを介して行われる無線通信を制御する。無線通信部２２は、制御部２１の制御の下、ネットワークを介して各種のデータの送受信を行う。
【００３１】
表示部２３は液晶表示パネル等を有し、表示制御を行う。
入力部２４は、操作指示等を入力するためのボタン等を有し、その操作に応じた信号を制御部２１に出力する。
通話処理部２５は、マイクロフォンやスピーカ、音声処理部等を有し、制御部２１の制御により呼接続、切断処理を含む通話処理を行う。
【００３２】
メモリ２６は、携帯端末１にインストールされているアプリケーションプログラムや、各種のデータ等を格納する。
ＩＣチップＩ／Ｆ２７は、ＩＣチップ２７ａと接続しており、制御部２１とＩＣチップ２７ａ間の通信を制御する。ＩＣチップ２７ａは、携帯端末１のユーザの識別番号等を記録している。
【００３３】
モーションセンサ２８は、加速度センサであり、携帯端末１の平面の横方向および縦方向などの動作を検知する。
タッチパネル入力部２９は、表示部２３と組み合わせられたタッチパッド等の位置入力装置であり、ユーザがタッチパネル入力部２９に触れることにより入力を行うことができる。
【００３４】
カメラ３０は、画像の撮影に用いられる。制御部２１はカメラ３０を制御して撮影を行い、撮影した画像を取得する。
【００３５】
［２．携帯端末１による情報読取］
次に、携帯端末１による情報読取について、図３を参照しながら説明する。
【００３６】
図３は、携帯端末１で情報媒体５１の情報を読取る際の状態を上から見た図である。本実施形態では、情報媒体５１を商品のカタログや広告とし、多数の商品について画像等が掲載されており、各商品に対応する位置にその商品の商品コード５３が印刷されているものとする。
【００３７】
本実施形態では、この情報媒体５１の読取に際し、まず、前記したように携帯端末１の下部１ｂを上部１ａに対しスライドし後退させる。そして、情報媒体５１の上に、この状態の携帯端末１を配置する。
【００３８】
次いで、携帯端末１のボタン１３を押下すると、携帯端末１の制御部２１が、カメラ３０からの合焦距離を所定の値に定め、携帯端末１の下部１ｂの底面すなわち情報媒体５１の上面の高さ位置に対応させる。また、カメラ３０に付属の照明３１を点灯させる。そして、携帯端末１の制御部２１は、ユーザ操作に応じてカメラ３０により情報媒体５１の読取範囲の撮影を行い、読取範囲内の画像を表示部２３に拡大表示する。
【００３９】
また、携帯端末１の制御部２１は、読取範囲の画像処理等により、読取範囲内の商品コード５３を読み取ると、その商品コード５３の商品に関する商品情報を、ネットワークを介してサーバから取得する。商品情報は、例えば商品の価格や商品の説明、商品に関する静止画や動画などである。この時照明３１は消灯させる。
【００４０】
携帯端末１を移動させると、携帯端末１の制御部２１はモーションセンサ２８によりこれを検知し、照明３１を点灯してカメラ３０により情報媒体５１の読取範囲の撮影を行い、読取範囲内の画像を表示部２３に拡大表示する。読取範囲内の商品コード５３を読取ると、上記した処理が再び行われる。
【００４１】
このようにして携帯端末１を操作し、情報媒体５１上で移動させながら、情報媒体５１の情報を読取ったり、携帯端末１に拡大して表示させることが可能になる。この間携帯端末１のカメラ３０と情報媒体５１との距離は固定されるので、合焦距離の微調整等は不要である。
【００４２】
なお、本実施形態では、図３に示すように商品コード５３を商品に対応する数字や文字とし、これを黒背景中に白抜きで表示したものとしているが、商品コード５３はこれに限ることはない。例えば商品コード５３は二次元コードなどにより印刷されたものであってもよい。また、携帯端末１にて読取る情報媒体５１も、商品のカタログや広告に限ることはなく、用途に応じた種々のものが考えられる。
【００４３】
以上のように、本実施形態によれば、携帯端末１を情報媒体５１上に配置することにより、携帯端末１を情報媒体５１上で移動させながら、情報媒体５１の情報を読取ったり、携帯端末１に拡大して表示させることが可能になる。この際、カメラ３０と情報媒体５１との距離は自ずと固定され、カメラ３０からの合焦距離に対応するので、携帯端末１のカメラ位置を手で固定する必要はなく、ピントずれ等も防ぐことができ、微調整の手間も省くことができる。従って、携帯端末１による情報読取を容易かつ精度良く行うことができる。
【００４４】
また、カメラ３０に超広角マクロレンズ３０ａが設けられるので、これにより合焦距離を短縮し、携帯端末１を全体として薄くし操作しやすい大きさとできる。超広角マクロレンズ３０ａを省略することも可能であるが、この場合、携帯端末１の底面を合焦距離に対応させるために携帯端末１を厚くする必要がある。
【００４５】
さらに、携帯端末１は、カメラ３０等を有する上部１ａと、下部１ｂにより構成され、下部１ｂが、上部１ａに対してスライド可能でありカメラ３０の位置を開放可能であるので、通常時には全体として略直方体状に形成し携帯しやすい形状としつつ、情報読取時に下部１ｂをスライドさせて携帯端末１を用いることができる。
【００４６】
しかしながら、本発明が第１の実施形態で説明したものに限ることはない。次に、本発明の第２、第３の実施形態について、図４、図５を参照して説明する。なお、第２、第３の実施形態は第１の実施形態と異なる点について主に説明し、同様の点については、図等で同じ符号を付すなどして説明を省略する。
【００４７】
［第２の実施形態］
図４は、第２の実施形態の携帯端末４１について示す図である。図４（ａ）は携帯端末４１の平面を示し、図４（ｂ）は携帯端末４１の側面を示す。
【００４８】
図に示すように、本実施形態では、携帯端末４１が、本体部４２と読取部４３で構成される。本体部４２は略直方体の形状を有し、図２で説明したハードウエア構成の各部が設けられる。ただし、カメラ３０とカメラ３０に備えた超広角マクロレンズ３０ａ、および照明３１は読取部４３で設けられる。
【００４９】
読取部４３は、本体部４２の前部に配置される。読取部４３は、樹脂等の透明の材質で形成された略直方体の形状を有する筐体である。読取部４３の鉛直方向の断面形状は本体部４２と対応しており、底面の位置が揃っている。前記のカメラ３０等は、読取部４３の上部に設けられる。また、読取部４３の上面には、レンズ４７も設けられる。
【００５０】
カメラ３０の取付位置は、情報読取時のカメラ３０からの合焦距離が、携帯端末４１の読取部４３の底面の高さ位置に対応するように定められる。例えば、読取部４３の底面から１１ｍｍ程度の高さ（図４（ｂ）参照）に取り付ける。
【００５１】
また、カメラ３０および本体部４２は、カメラ３０による読取範囲が、本体部４２と干渉しないように設けられる。本実施形態では、カメラ３０が若干前方に傾斜するように設けられており、読取範囲が、読取部４３の底面の高さ位置において、カメラ３０の位置を後部とする矩形状の範囲となっている。例えばこの範囲の前後の長さは４０ｍｍ程度であり（図４（ｂ）参照）、本体部４２はこれと干渉しないように設けられる。
【００５２】
この携帯端末４１でも、第１の実施形態と同様の操作で情報媒体５１の読取範囲の読取を行うことができ、同様の効果が得られる。なお、第２の実施形態では、第１の実施形態でボタン１３を押下した代わりに、表示部２３に表示された情報読取用のアプリケーションのアイコン（不図示）を選択することで、第１の実施形態と同様の処理を行うことができる。
【００５３】
さらに、第２の実施形態では、携帯端末４１をそのまま情報読取に用いることができ、操作の手間を省くことができる。また、読取部４３が透明に形成されるので、周囲の光を遮らず読取範囲も明るくなり情報読取が容易になる。加えて、携帯端末４１の表示部２３だけでなく、読取部４３の上面においてもレンズ４７により読取範囲が拡大して表示されるから、操作性も向上する。
【００５４】
［第３の実施形態］
図５は第３の実施形態の携帯端末６０について示す図である。図５（ａ）は携帯端末６０の平面を示し、図５（ｂ）、（ｃ）は携帯端末６０の側面を示す。図５（ａ）、（ｂ）は、情報読取時の状態を示す図であり、図５（ｃ）は非情報読取時の状態を示す図である。
【００５５】
この携帯端末６０が第１の実施形態の携帯端末１と異なる点は、下部１ｃにおいてボタン１３が省略されていることである。更に、第３の携帯端末６０のカメラ３０は通常の撮影には用いず、情報読取のみに用いるものとし、カメラ３０からの合焦距離が携帯端末６０の下部１ｃの底面の高さ位置に対応するように予め固定されている。なお、カメラ３０に、合焦距離を短縮するための超広角マクロレンズ３０ａが設けられる点は第１の実施形態と同様である。
【００５６】
本実施形態では、情報媒体５１の読取に際し、まず、携帯端末６０の下部１ｃを上部１ａに対しスライドさせる。すると、携帯端末６０の制御部２１がこれを検知し、カメラ３０に付属の照明３１を点灯させ、カメラ３０により情報媒体５１の読取範囲の撮影を行う。以降の処理は第１の実施形態と同様である。
【００５７】
この第３の実施形態の携帯端末６０でも、第１、２の実施形態と同様の効果が得られる。また、携帯端末６０のカメラ３０は情報読取のみに用い、カメラ３０からの合焦距離は予め固定されるので、情報読取時のカメラ３０の起動が迅速かつ容易にできる利点もある。なお、別途、通常の撮影に用いるカメラを下部１ｃ等に設けることは可能である。
【００５８】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５９】
１、４１、６０：携帯端末
１ａ：上部
１ｂ、１ｃ：下部
３０：カメラ
４２：本体部
４３：読取部
【図１】
2014138260.tif 000003
【図２】
2014138260.tif 000004
【図３】
2014138260.tif 000005
【図４】
2014138260.tif 000006
【図５】
2014138260.tif 000007